(57)【要約】  本発明は、摺動可能に延長可能な細長い部材と、細長い部材の各側の２セットの２つの横方向に伸びるアームを含む、１つ以上のパイプを運ぶためのパイプリフターを対象としている。２つの横方向に伸びるアームの各セットは互いに対向している。横方向に伸びるアームはそれぞれ細長い部材に枢動可能に固定され、および、横方向に伸びるアームが細長い部材に隣接かつ平行である折り畳まれた位置と、横方向に伸びるアームが細長い部材に対して実質的に９０度で横方向に伸びる操作位置との間で移動可能である。横方向に伸びるアームに取り付け可能な２つ以上のＬ字型の支持部材がある。細長い部材の長さを延長および短縮するように操作上構成された油圧ラムまたは空気式ラムもある。使用時、対向する横方向に伸びるアームに取り付けられたＬ字型の支持部材は、実質的に互いに対向するように位置づけられ、および細長い部材の長さは、Ｌ字型の支持パイプの外側に伸びる部分がパイプリフターにパイプを固定するためにパイプの各開放端内に設置可能となるように調節される。【選択図】図１
2019510708.tif 000002
【特許請求の範囲】
【請求項１】
１つ以上のパイプを運ぶためのパイプリフターであって、
前記パイプリフターは、
延長可能な細長い部材と、
細長い部材の各側の２セットの２つの横方向に伸びるアームであって、横方向に伸びるアームの各々は細長い部材に枢動可能に固定され、および、横方向に伸びるアームが細長い部材に隣接かつ平行である折り畳まれた位置と、横方向に伸びるアームが細長い部材に対して実質的に９０度で横方向に伸びる操作位置との間で移動可能である、２セットの２つの横方向に伸びるアームと、
前記２つの横方向に伸びるアームに取り付け可能な２つ以上の支持部材であって、前記支持部材のそれぞれは１つ以上のパイプの端部内で位置決め可能なように形成される、支持部材と、
細長い部材の長さを延長および短縮するように操作上構成された油圧ラムまたは空気式ラムであって、ここで、使用時に、対向する横方向に伸びるアームに取り付けられた支持部材は、互いに実質的に対向するように位置づけられ、および、パイプがパイプの各端部で支持部材により固定されるように、前記細長い部材の長さは調節される、油圧ラムまたは空気式ラムと、を含む、
パイプリフター。
【請求項２】
横方向に伸びるアームの各々は、対向する横方向に伸びるアーム上の支持部材に実質的に対向する位置に支持部材を置くために、対向する横方向に伸びるアームに面する縁に沿って一連の凹部またはスロットを有する、請求項１に記載のパイプリフター。
【請求項３】
支持部材は、単一のパイプリフターが１、２、あるいはそれ以上のパイプをいつでも運ぶことができるように、必要に応じて追加または除去可能である、請求項１または２に記載のパイプリフター。
【請求項４】
支持部材は、様々な直径のパイプを収容する位置の横方向に伸びるアーム上で間隔をおいて配される、請求項１−３のいずれか１つに記載のパイプリフター。
【請求項５】
使用されていないとき、支持部材は、パイプに干渉しないように取り外し可能であるか、上下逆さまに配置可能である、請求項１−４のいずれか１つに記載のパイプリフター。
【請求項６】
支持部材はＬ字型であり、支持部材の外側に伸びる部分は、パイプの端開口内で位置決め可能である、請求項１−５のいずれか１つに記載のパイプリフター。
【請求項７】
１つ以上のパイプを運ぶためのパイプリフターであって、
前記パイプリフターは、
延長可能な細長い部材と、
細長い部材に固定された２つの対向する横断部材と、
前記２つの横断部材に取り付け可能な２つ以上の支持部材であって、前記支持部材のそれぞれは１つ以上のパイプの端部内に位置決め可能なように形成される、支持部材と、
細長い部材の長さを延長および短縮するように操作上構成された油圧ラムまたは空気式ラムであって、ここで、使用時に、横断部材に取り付けられた支持部材は、互いに実質的に対向するように位置づけられ、および、パイプがパイプの各端部で支持部材により固定されるように、前記細長い部材の長さは調節される、油圧ラムまたは空気式ラムと、を含む、
パイプリフター。
【請求項８】
細長い部材は摺動可能なように延長可能である、請求項１−７のいずれか１つに記載のパイプリフター。
【請求項９】
１つ以上のパイプを運ぶためのパイプリフターであって、
前記パイプリフターは、
摺動可能に延長可能な細長い部材と、
細長い部材の各側の２セットの２つの横方向に伸びるアームであって、各セットの２つの横方向に伸びるアームは互いに対して対向しており、横方向に伸びるアームの各々は細長い部材に枢動可能に固定され、および、横方向に伸びるアームが細長い部材に隣接かつ平行である折り畳まれた位置と、横方向に伸びるアームが細長い部材に対して実質的に９０度で横方向に伸びる操作位置との間で移動可能である、２セットの２つの横方向に伸びるアームと、
横方向に伸びるアームに取り付け可能な２つ以上のＬ字型の支持部材であって、Ｌ字型の支持部材の外側に伸びる部分は、パイプの端開口内で位置決め可能である、Ｌ字型の支持部材と、
細長い部材の長さを延長および短縮するように操作上構成された油圧ラムまたは空気式ラムであって、ここで、使用時に、対向する横方向に伸びるアームに取り付けられたＬ字型の支持部材は、実質的に互いに対向するように位置づけられ、および細長い部材の長さは、Ｌ字型の支持パイプの外側に伸びる部分がパイプリフターにパイプを固定するためにパイプの各開放端内にあるように調節される、油圧ラムまたは空気式ラム、を含む、
パイプリフター。
【請求項１０】
パイプリフターは２つ以上のパイプを運ぶことができる、請求項１−９のいずれか１つに記載のパイプリフター。
【請求項１１】
パイプリフターは、様々な直径の２つ以上のパイプを運ぶことができる、請求項１−１０のいずれか１つに記載のパイプリフター。
【請求項１２】
添付の図面を参照して本明細書に実質的に記載される通りの、および、添付の図面によって例証される通りの、１つ以上のパイプを運ぶためのパイプリフター。
【発明の詳細な説明】
【技術分野】
【０００１】
本発明は、パイプ、チューブ、ケーシング、および同様のアイテムの持ち上げのための装置に関する。本発明は、限定されないが、複数のコンクリート管を持ち上げる際に使用される適用を有する。明細書中のコンクリート管に対する言及はほんの一例であり、本発明はコンクリート管に限定されない。
【背景技術】
【０００２】
コンクリート管はフック、クランプ、およびハーネスの使用によって、トラックへ／から持ち上げられ、および使用位置へ持ち上げられる。フック、クランプ、およびハーネスは、クレーン、フォークリフト、あるいは掘削機に取り付けられる。ハーネスはしばしば、コンクリート管のまわりに位置づけられ、かつ掘削機またはクレーンの油圧アームにより支持される、１つ以上のチェーンスリングである。フックは、開いたパイプの端部に取り付け可能であり、かつ油圧アームに取り付けられたチェーンの使用により持ち上げられる、特定の形状をした金属プレートである。リフトクランプは通常、ハサミ型のクランプであり、これは、あごおよびピボット構成を使用してパイプの円周の周りを留めるか、あるいは１つの端部で管壁の内部と外部に留められる万力型の把持器を形成する。
【０００３】
パイプを持ち上げるクランプの例は、パイプの外部の周りを留めるためのハサミ型のリンク機構を備えたグリップアームを使用する特許文献１に記載されるパイプリフト装置を含む。特許文献２は、パイプの反対側面に留められる２つの向かい合ったアームを有するリフトクランプを記載している。記載されたリフトクランプの各々は始動装置あるいは巻き上げ装置に取り付け可能である。
【０００４】
前述のリフト装置は一度に１つのパイプを持ち上げて操作するために設計および製造される。この配置の不利な点は、状況によっては複数のパイプを動かす必要があり、一度に１つのパイプしか動かすことができないリフト装置は非効率的で時間を浪費するということである。
【先行技術文献】
【特許文献】
【０００５】
【特許文献１】米国特許第６５６８７３１
【特許文献２】米国特許第７９５０７０９
【発明の概要】
【発明が解決しようとする課題】
【０００６】
本発明は、少なくとも部分的には上述の不利な点を克服し、かつ、一度に複数のパイプを運ぶことができるパイプリフターを提供することを目的とする。
【０００７】
１つの態様では、本発明は、１つ以上のパイプを運ぶためのパイプリフターに存在し、
該パイプリフターは、
延長可能な細長い部材と、
延長可能な細長い部材に固定された２つの間隔を置いて配された横断手段と、
２つの横断手段の各々に取り付け可能な２つ以上の支持部材であって、上記支持部材のそれぞれは１つ以上のパイプの端部内に位置決め可能なように形成される、支持部材と、
延長可能な細長い部材の長さを変更する延長手段であって、ここで、使用時に、２つの横断手段に取り付けられた支持部材は実質的に互いに対向するように位置づけられ、および、延長手段は、パイプがパイプの各端部で支持部材により固定されるように、上記細長い部材の長さを調節するように作動される、延長手段とを含む。
【０００８】
好ましくは、上記細長い部材は摺動可能に延長可能である。
【０００９】
上記細長い部材は好ましくは一方または両方の端部から延長可能である。
【００１０】
好ましくは、延長手段は、細長い部材の長さを延長および短縮することができる油圧ラムまたは空気式ラム（ｐｎｅｕｍａｔｉｃ  ｒａｍ）を含む。好ましくは、２つの間隔を置いて配された横断手段は、細長い部材の各端部に固定された細長い部材の各側に２セットの２つの横方向に伸びるアームを含み、使用時、２セットの上記横方向に伸びるアームは互いに対して実質的に平行である。横方向に伸びるアームはそれぞれ、アームが細長い部材に隣接かつ平行である折り畳まれた位置と、アームが細長い部材に対して実質的に９０度で横方向に伸びる操作位置との間で移動可能な細長い部材に枢動可能に固定される。
【００１１】
代替的に、２つの間隔を置いて配された横断手段は、細長い部材の各端部に固定され、かつ互いに対して実質的に平行な横断部材を含んでいる。
【００１２】
さらなる態様では、本発明は、１つ以上のパイプを運ぶためのパイプリフターに存在し、
該パイプリフターは、
延長可能な細長い部材と、
細長い部材の各側の２セットの２つの横方向に伸びるアームであって、各セットの２つの横方向に伸びるアームは互いに対して対向しており、横方向に伸びるアームの各々は細長い部材に枢動可能に固定され、および、アームが細長い部材に隣接かつ平行である折り畳まれた位置と、アームが細長い部材に対して実質的に９０度で横方向に伸びる操作位置との間で移動可能である、２セットの２つの横方向に伸びるアームと、
上記２つの横方向に伸びるアームに取り付け可能な２つ以上の支持部材であって、上記支持部材のそれぞれは１つ以上のパイプの端部内で位置決め可能なように形成される、支持部材と、
細長い部材の長さを延長および短縮するように操作上構成された油圧ラムまたは空気式ラムであって、ここで、使用時に、対向する横方向に伸びるアームに取り付けられた支持部材は、互いに実質的に対向するように位置づけられ、および、パイプがパイプの各端部で支持部材により固定されるように、上記細長い部材の長さは調節される、油圧ラムまたは空気式ラムを含む。
【００１３】
横方向に伸びるアームの各々は、対向する横方向に伸びるアームに面する縁に沿って一連の凹部またはスロットを有する。一連の凹部またはスロットは好ましくは、対向する横方向に伸びるアーム上の支持部材に実質的に対向する位置に支持部材を置くのに役立つ。
【００１４】
好ましくは、単一のパイプリフターが１、２、あるいはそれ以上のパイプをいつでも運ぶことができるように、必要に応じて支持部材は追加または除去可能である。支持部材は好ましくは、様々な直径のパイプを収容する位置の横方向に伸びるアーム上で間隔をおいて配される。使用されていないとき、支持部材は好ましくは、パイプに干渉しないように取り外し可能であるか、上下逆さまに配置可能である。
【００１５】
支持部材は好ましくはＬ字型であり、支持部材の外側に伸びる部分は、パイプの端開口内で位置決め可能である。
【００１６】
さらなる態様では、本発明は、１つ以上のパイプを運ぶためのパイプリフターに存在し、
該パイプリフターは、
延長可能な細長い部材と、
細長い部材に固定された２つの対向する横断部材と、
上記２つの横断部材に取り付け可能な２つ以上の支持部材であって、上記支持部材のそれぞれは１つ以上のパイプの端部内に位置決め可能なように形成される、支持部材と、
細長い部材の長さを延長および短縮するように操作上構成された油圧ラムまたは空気式ラムであって、ここで、使用時に、横断部材に取り付けられた支持部材は、互いに実質的に対向するように位置づけられ、および、パイプがパイプの各端部で支持部材により固定されるように、上記細長い部材の長さは調節される、油圧ラムまたは空気式ラムを含む。
【００１７】
別の実施形態では、本発明は、１つ以上のパイプを運ぶためのパイプリフターに存在し、
該パイプリフターは、
延長可能な部材と、
２つの対向する横断部材であって、上記横断部材が細長い部材に沿って移動可能であり、かつ互いから所望の間隔をおいた位置で固定可能である、横断部材と、
上記２つの横断部材に取り付け可能な２つ以上の支持部材であって、上記支持部材のそれぞれは１つ以上のパイプの端部内に位置決め可能なように形成される、支持部材とを含み、
ここで、使用時に、対向する横断部材に取り付けられた支持部材は、互いに実質的に対向するように、および、パイプがパイプの各端部で支持部材により固定されるように互いから所望の間隔をおいて位置づけられる。
【００１８】
さらなる実施形態では、本発明は、１つ以上のパイプを運ぶためのパイプリフターに存在し、
該パイプリフターは、
延長可能な部材と、
細長い部材の各側の２セットの２つの横方向に伸びるアームであって、各セットの２つの横方向に伸びるアームは互いに対して対向しており、上記アームは細長い部材に沿って移動可能であり、かつ互いから所望の間隔をおいた位置で固定可能であり、上記アームは細長い部材に隣接かつ平行である折り畳まれた位置と、アームが細長い部材に対して実質的に９０度で横方向に伸びる操作位置との間で移動可能である、２セットの２つの横方向に伸びるアームと、
上記２つの横方向に伸びるアームに取り付け可能な２つ以上の支持部材であって、上記支持部材のそれぞれは１つ以上のパイプの端部内で位置決め可能なように形成される、支持部材とを含み、
ここで、使用時に、対向する横方向に伸びるアームに取り付けられた支持部材は、互いに実質的に対向するように、および、パイプがパイプの各端部で支持部材により固定されるように互いから所望の間隔をおいて位置づけられる。
【００１９】
さらなる態様では、本発明は、１つ以上のパイプを運ぶためのパイプリフターに存在し、
該パイプリフターは、
延長可能な部材と、
細長い部材の端部で、または端部に隣接して、および、互いから所望の間隔をおいて、固定されるまたは固定可能である細長い部材の各側の２つの対向する横断部材あるいは２つのセット２つの横方向に伸びるアームと、
対向する横断部材または横方向に伸びるアームに取り付け可能な２つ以上の支持部材であって、上記支持部材のそれぞれは１つ以上のパイプの端部内で位置決め可能なように形成される、支持部材と、を含み、
ここで、使用時に、対向する横断部材または対向する横方向に伸びるアームに取り付けられた支持部材は、互いに実質的に対向するように、および、パイプがパイプの各端部で支持部材により固定されるように互いから所望の間隔をおいて位置づけられる。
【００２０】
さらなる態様では、本発明は、１つ以上のパイプを運ぶためのパイプリフターに存在し、
該パイプリフターは、
延長可能な細長い部材と、
細長い部材の各側の、および細長い部材の各端部の２つの横方向に伸びるアームであって、横方向に伸びるアームはそれぞれ細長い部材に枢動可能に固定され、かつ、アームが細長い部材に隣接かつ平行である折り畳まれた位置と、アームが細長い部材に対して実質的に９０度で横方向に伸びる操作位置との間で移動可能である、２つの横方向に伸びるアームと、
横方向に伸びるアームに取り付け可能な２つ以上のＬ字型の支持部材であって、Ｌ字型の支持部材の外側に伸びる部分は、パイプの端開口内で位置決め可能である、Ｌ字型の支持部材と、
細長い部材の長さを延長および短縮するように操作上構成された油圧ラムまたは空気式ラムであって、ここで、使用時に、対向する横方向に伸びるアームに取り付けられたＬ字型の支持部材は、実質的に互いに対向するように位置づけられ、および細長い部材の長さは、Ｌ字型の支持パイプの外側に伸びる部分がパイプリフターにパイプを固定するためにパイプの各開放端内にあるように調節される、油圧ラムまたは空気式ラムとを含む。
【００２１】
１つの形態のパイプリフターは好ましくは２以上のパイプを運ぶことができる。
【００２２】
別の形態のパイプリフターは、好ましくは様々な直径の２以上のパイプを運ぶことができる。
【００２３】
１つの態様に対して記載された特徴は、適用可能な場合には、本発明の他のすべての態様にも適用される。さらに、明示されていないときでさえ、記載された特徴の様々な組み合わせは本明細書に記載され、主張される。
【図面の簡単な説明】
【００２４】
本発明をより容易に理解することができるように、本発明の好ましい実施形態を例証する添付の図面をここで参照する。
【図１】好ましい実施形態のパイプリフターの線図である。
【図２】（油圧ホースとカップリングを伴わない）パイプリフターの平面図である。
【図３】（油圧ホースとカップリングを伴わない）パイプリフターの側面図である；
【図４】折り畳まれた位置の、および油圧ホースとカップリングを伴わない、パイプリフターの線図である。
【図５】（油圧ホースとカップリングを伴わない）および１つのパイプを運ぶためのパイプリフターの線図である。
【図６】（油圧ホースと台を伴わない）およびパイプを運ぶ折り畳まれたパイプリフターの線図である。
【図７】パイプリフターが５つのパイプを運んでいる場合の（油圧ホースと台を伴わない）パイプリフターの端面図である。
【図８】５つのパイプを運ぶパイプリフターの写真である。
【図９】３つのパイプを運ぶパイプリフターの写真である。
【発明を実施するための形態】
【００２５】
図１〜９に関して、パイプリフター（１０）の好ましい実施形態が示されている。パイプリフター（１０）は、細長い部材（１１）の各端部に枢動可能に取り付けられた横方向に伸びるアーム（１２）を備えた摺動可能な細長い部材（１１）を含んでいた。細長い部材（１１）は、外側スリーブ（１３）と２つの内側スリーブ（１４）がある３つの部品を含む。内側スリーブ（１４）は、外側スリーブ（１３）内に摺動可能に保持される。内側スリーブ（１４）の各自由端は枢動可能に取り付けられた側方アーム（１２）に取り付けられる。側方アーム（１２）は、内側スリーブ（１４）の自由端へ固定される接続プレート（１７）に取り付けられる。油圧ラム（２０）は接続プレート（１７）と外側スリーブ（１３）に接続される。油圧ラム（２０）を作動させるとき、それは接続プレート（１７）を外側スリーブ（１３）から遠ざけるか、あるいは接続プレート（１７）を外側スリーブ（１３）へ近づける。細長い部材（１１）の各端部に内側スリーブ（１４）に操作上連結した２つの油圧ラム（２０）があるため、油圧ラム（２０）の作動は、外側スリーブ（１３）に対する両方の内側スリーブ（１４）の動作を制御する。他の実施形態では、１つの内側スリーブだけしかないこともあり、細長い部材の１つの端部だけが延長および収縮する。
【００２６】
油圧ラム（２０）は油圧ホース（２１）とカップリング（２２）を含んでいる。カップリング（２２）は、掘削機またはクレーンアームにパイプリフター（１０）を接続する。これは、図８と９によりはっきりと示されている。
【００２７】
側方アーム（１２）に沿って、Ｌ字型のフック（２５）がある。Ｌ字型のフック（２５）は、脚部分（２６）と足部分（２７）から構成される。脚部分（２６）は横方向に伸びるアーム（１２）にＬ字型のフック（２５）を取り付ける役割を果たし、その一方で、足部分（２７）はパイプリフター（１０）へパイプを保持および固定するためにパイプの開放端内に位置決め可能である。Ｌ字型のフック（２５）は、ファスナー（３０）によって横方向に伸びるアーム（１２）に固定される。横方向に伸びるアーム（１２）は、Ｌ字型のフック（２５）の位置決めを助けるための一連のスロットまたは凹部（３１）を有する。横方向に伸びるアーム（１２）に沿った一連のスロットまたは凹部（３１）は、細長い部材（１１）の他方の末端の対向する横方向に伸びるアーム（１２）に面する。
【００２８】
対向する横方向に伸びるアーム（１２）上の対応するＬ字型のフック（２５）が、パイプが互いに対して、および細長い部材（１１）に対して実質的に平行に固定可能となるように位置合わせされる限り、Ｌ字型のフック（２５）は、横方向に伸びるアーム（１２）の各々に沿って取り外し可能であるか、位置を変更可能である。
【００２９】
図１は各端部の５つのＬ字型のフック（２５）を示し、それらは、対向する横方向に伸びるアーム（１２）上の対応するＬ字型のフック（２５）と位置合わせされる。対照的に、図６と９はそれぞれ、各端部の１つおよび３つのＬ字型のフック（２５）を示す。Ｌ字型のフック（２５）は、必要でないとき、あるいは、直径の大きなパイプを運び、ゆえに、より多くの空間を必要とするときに、取り外すことができる。図９に関して、対向位置に３つのＬ字型のフック（２５）と、運ばれているパイプに干渉しないように上下逆さまの位置に再配置された２つの他のＬ字型のフック（２５）が示されている。
【００３０】
好ましい実施形態では、６００ｍｍ以上の直径を備えたパイプを、パイプリフター（１０）によって、１つずつ、対で、または３つで、運ぶことができる。パイプの直径が４５０ｍｍである場合、最大で４つのパイプをパイプリフター（１０）によって運ぶことができる。パイプの直径が３００ｍｍである場合、最大で５つのパイプをパイプリフター（１０）によって一度に運ぶことができる。パイプが図６に示されるように最大で１８００ｍｍの非常に大きな直径を有している場合、横方向に伸びるアーム（１２）は大きなパイプに干渉しないように折り畳まれた位置にある。
【００３１】
使用時、多くのＬ字型のフック（２５）は、動かされているパイプの直径寸法に依存して、横方向に伸びるアーム（１２）に沿って適所に取り付けおよび固定される。その後、パイプリフター（１０）は、運ばれるパイプ上に位置決めされ、それぞれのＬ字型のフック（２５）の足部分（２７）が各パイプの開口部内にあり、かつ、パイプの端部周縁部が（Ｌ）字型のフック（２５）に隣接するか、近接するように、Ｌ字型のフック（２５）は調整される。このように、パイプはＬ字型のフック（２５）によって各端部で捕捉および保持され、パイプの縦運動がないことなら、それが固定された位置から落ちることを防ぐ。その後、すべてのパイプがパイプリフター（１０）に固定されると、パイプリフター（１０）は掘削機またはクレーンアームによって所望の位置へ操作され、油圧ラム（２０）が内側スリーブ（１４）を拡張するときにパイプは解放され、その結果、Ｌ字型のフック（２５）の各々の足部分（２７）はパイプの端部の内部から引っ込む。
【００３２】
利点
本発明の好ましい実施形態の利点は、いつでも複数のパイプを移動させる能力を有する。さらに、パイプリフターは、任意の１回の積み荷で様々な直径のパイプ、あるいは様々な直径のパイプの混合物を持ち上げて運ぶことができる。
【００３３】
パイプの数とパイプのサイズ（直径および長さ）は、パイプリフターの好ましい実施形態を使用して、積荷ごとに調節可能である。
【００３４】
好ましい実施形態のパイプリフターは使いやすく、パイプ自体に不必要な力を加えることなく組み立てるのが比較的早い。
【００３５】
好ましい実施形態のパイプリフターはさらに、積み降ろしとある位置から別の位置へパイプを移動させる事に関する健康と安全の要件を順守するという利点を提供する。
【００３６】
パイプリフターの好ましい実施形態がなければ、人はパイプの積荷を取り付けたり取り外したりするために、ひっきりなしにトラックの後部に登っては飛び降りなければならない。こうした動作を繰り返すうちに、落ちて怪我をする恐れがある。パイプリフターの好ましい実施形態では、トラックの後部に登っては降りるを繰り返す必要がなく、怪我のリスクを回避できる。
【００３７】
変更形態
先に記載されたことは本発明の例示的な例として与えられたものであるが、当業者に明白なように、そのようなおよび他の修正や変更は、本明細書で説明されるように、本発明の広範な範囲と領域の範囲内であることがもちろんにわかるであろう。
【００３８】
本明細書の記載と請求項全体にわたって「含む（ｃｏｍｐｒｉｓｅ）」という用語と、「含む（ｃｏｍｐｒｉｓｅｓ）」や「含むこと（ｃｏｍｐｒｉｓｉｎｇ）」などのその用語の変更形態は、他の添加剤、成分、整数、あるいは工程を除外することを意図していない。
【図１】
2019510708.tif 000003
【図２】
2019510708.tif 000004
【図３】
2019510708.tif 000005
【図４】
2019510708.tif 000006
【図５】
2019510708.tif 000007
【図６】
2019510708.tif 000008
【図７】
2019510708.tif 000009
【図８】
2019510708.tif 000010
【図９】
2019510708.tif 000011
【手続補正書】
【提出日】平成29年7月31日(2017.7.31)
【手続補正１】
【補正対象書類名】特許請求の範囲
【補正対象項目名】全文
【補正方法】変更
【補正の内容】
【特許請求の範囲】
【請求項１】
１つ以上のパイプを運ぶためのパイプリフターであって、
前記パイプリフターは、
延長可能な細長い部材と、
細長い部材の各側の２セットの２つの横方向に伸びるアームであって、横方向に伸びるアームの各々は細長い部材に枢動可能に固定され、および、横方向に伸びるアームが細長い部材に隣接かつ平行である折り畳まれた位置と、横方向に伸びるアームが細長い部材に対して実質的に９０度で横方向に伸びる操作位置との間で移動可能である、２セットの２つの横方向に伸びるアームと、
前記２つの横方向に伸びるアームに取り付け可能な２つ以上の支持部材であって、前記支持部材のそれぞれは１つ以上のパイプの端部内で位置決め可能なように形成される、支持部材と、
細長い部材の長さを延長および短縮するように操作上構成された油圧ラムまたは空気式ラムであって、ここで、使用時に、対向する横方向に伸びるアームに取り付けられた支持部材は、互いに実質的に対向するように位置づけられ、および、パイプがパイプの各端部で支持部材により固定されるように、前記細長い部材の長さは調節される、油圧ラムまたは空気式ラムと、を含む、
パイプリフター。
【請求項２】
横方向に伸びるアームの各々は、対向する横方向に伸びるアーム上の支持部材に実質的に対向する位置に支持部材を置くために、対向する横方向に伸びるアームに面する縁に沿って一連の凹部またはスロットを有する、請求項１に記載のパイプリフター。
【請求項３】
支持部材は、単一のパイプリフターが１、２、あるいはそれ以上のパイプをいつでも運ぶことができるように、必要に応じて追加または除去可能である、請求項１または２に記載のパイプリフター。
【請求項４】
支持部材は、様々な直径のパイプを収容する位置の横方向に伸びるアーム上で間隔をおいて配される、請求項１−３のいずれか１つに記載のパイプリフター。
【請求項５】
使用されていないとき、支持部材は、パイプに干渉しないように取り外し可能であるか、上下逆さまに配置可能である、請求項１−４のいずれか１つに記載のパイプリフター。
【請求項６】
支持部材はＬ字型であり、支持部材の外側に伸びる部分は、パイプの端開口内で位置決め可能である、請求項１−５のいずれか１つに記載のパイプリフター。
【請求項７】
細長い部材は摺動可能なように延長可能である、請求項１−６のいずれか１つに記載のパイプリフター。
【請求項８】
１つ以上のパイプを運ぶためのパイプリフターであって、
前記パイプリフターは、
摺動可能に延長可能な細長い部材と、
細長い部材の各側の２セットの２つの横方向に伸びるアームであって、各セットの２つの横方向に伸びるアームは互いに対して対向しており、横方向に伸びるアームの各々は細長い部材に枢動可能に固定され、および、横方向に伸びるアームが細長い部材に隣接かつ平行である折り畳まれた位置と、横方向に伸びるアームが細長い部材に対して実質的に９０度で横方向に伸びる操作位置との間で移動可能である、２セットの２つの横方向に伸びるアームと、
横方向に伸びるアームに取り付け可能な２つ以上のＬ字型の支持部材であって、Ｌ字型の支持部材の外側に伸びる部分は、パイプの端開口内で位置決め可能である、Ｌ字型の支持部材と、
細長い部材の長さを延長および短縮するように操作上構成された油圧ラムまたは空気式ラムであって、ここで、使用時に、対向する横方向に伸びるアームに取り付けられたＬ字型の支持部材は、実質的に互いに対向するように位置づけられ、および細長い部材の長さは、Ｌ字型の支持パイプの外側に伸びる部分がパイプリフターにパイプを固定するためにパイプの各開放端内にあるように調節される、油圧ラムまたは空気式ラム、を含む、
パイプリフター。
【請求項９】
パイプリフターは２つ以上のパイプを運ぶことができる、請求項１−８のいずれか１つに記載のパイプリフター。
【請求項１０】
パイプリフターは、様々な直径の２つ以上のパイプを運ぶことができる、請求項１−９のいずれか１つに記載のパイプリフター。
【請求項１１】
添付の図面を参照して本明細書に実質的に記載される通りの、および、添付の図面によって例証される通りの、１つ以上のパイプを運ぶためのパイプリフター。
【国際調査報告】
2019510708.tif 000012
2019510708.tif 000013
2019510708.tif 000014
2019510708.tif 000015
2019510708.tif 000016